(57)【特許請求の範囲】
【請求項１】
屋外に構築されて貯蔵対象物としてコンクリート骨材が貯蔵される屋外貯蔵設備の外側に、前記屋外貯蔵設備と離間して囲壁が配設され、
前記囲壁の外側または前記囲壁と前記屋外貯蔵設備との間にミストを供給するミスト供給装置が設けられており、
前記囲壁は、ネットまたは繁茂植物からなり、前記ミスト供給装置から供給されたミストを付着させるミスト担体を備えており、
前記囲壁は、前記囲壁の外側の空気を前記囲壁と前記屋外貯蔵設備との間に通過させる通気性を備えることを特徴とする屋外貯蔵設備の冷却装置。
【請求項２】
前記ミスト供給装置は、前記囲壁と前記屋外貯蔵設備との隙間からミストを噴射する内側ミスト噴射装置を含む請求項１に記載の屋外貯蔵設備の冷却装置。
【請求項３】
前記ミスト供給装置は、前記囲壁の外側から前記囲壁に向けてミストを噴射する外側ミスト噴射装置を含む請求項１または請求項２に記載の屋外貯蔵設備の冷却装置。
【請求項４】
前記外側ミスト噴射装置が前記囲壁に取り付けられている請求項３に記載の屋外貯蔵設備の冷却装置。
【請求項５】
前記ミスト噴射装置から噴射されたミストを前記囲壁方向へ送る風を供給する送風手段が設けられている請求項３または請求項４に記載の屋外貯蔵設備の冷却装置。
【請求項６】
前記屋外貯蔵設備と前記囲壁とは、平面視した状態で離間して配設されており、
前記内側ミスト噴射装置は、前記屋外貯蔵設備と前記囲壁との間から、下方に向けてミストを噴射する請求項２に記載の屋外貯蔵設備の冷却装置。
【請求項７】
前記ミストの径が１０μｍ〜１００μｍに調整されている請求項１〜請求項６のうちのいずれか１項に記載の屋外貯蔵設備の冷却装置。
【請求項８】
屋外に構築されて貯蔵対象物としてコンクリート骨材が貯蔵される屋外貯蔵設備と、前記屋外貯蔵設備の外側に前記屋外貯蔵設備と離間して配設された囲壁との間に、ミスト供給手段によってミストを供給し、
前記囲壁の外側の空気を前記囲壁と前記屋外貯蔵設備との間に通過させるとともに、前記囲壁に設けられたネットまたは繁茂植物からなるミスト担体に、前記ミスト供給手段から供給されたミストを付着させることを特徴とする屋外貯蔵設備の冷却方法。
【発明の詳細な説明】
【技術分野】
【０００１】
本発明は、屋外貯蔵設備の冷却装置および冷却方法に係り、特に、ダムなどの大規模コンクリート構造物を構築する際に用いられるコンクリート骨材の貯蔵に用いて好適な屋外貯蔵設備の冷却装置および冷却方法に関する。
【背景技術】
【０００２】
ダムなどの大規模コンクリート構造物を構築する際には、製造したコンクリート骨材をその径に応じて分類して、それぞれ貯蔵ビンに貯蔵しておくことが行われている。このようにコンクリート骨材を貯蔵するにあたり、製造したコンクリートを冷却することが行われている。コンクリートの冷却方法として、従来、表面に水を含む状態の骨材が貯蔵された雰囲気内を真空とし、水の蒸発による蒸発潜熱によって骨材を冷却する方法が提案されている（たとえば、特許文献１参照）。
【０００３】
また、その他の冷却方法としては、コンクリート骨材を貯蔵する貯蔵ビンを日陰に配置し、太陽光による加熱を防ぐことが行われている。また、コンクリート骨材に冷却水を散水したりする方法がとられている。さらには、貯蔵中の骨材の表面に冷風を供給して送風による冷却が行われている。あるいは、これらの方法を組み合わせて冷却態様とすることもある。
【特許文献１】特開昭５７−１８８３１７号公報
【発明の開示】
【発明が解決しようとする課題】
【０００４】
しかし、上記特許文献１に開示された冷却方法では、コンクリート骨材を冷却するにあたって貯蔵ビン内を真空状態に必要がある。このため、真空状態を生成するための真空生成設備が大掛かりとなるという問題があった。
【０００５】
また、その他の冷却方法では、いずれも冷却効率が低かった。このため、コンクリート骨材を十分に冷却することが困難であるという問題があった。
【０００６】
そこで、本発明の課題は、真空生成設備などの大掛かりな設備を要することなく、高い冷却効率を発揮することができる屋外貯蔵設備の冷却装置および冷却方法を提供することにある。
【課題を解決するための手段】
【０００７】
上記課題を解決した本発明に係る屋外貯蔵設備の冷却装置は、屋外に構築されて貯蔵対象物としてコンクリート骨材が貯蔵される屋外貯蔵設備の外側に、屋外貯蔵設備と離間して囲壁が配設され、囲壁の外側または囲壁と屋外貯蔵設備との間にミストを供給するミスト供給装置が設けられており、囲壁は、ネットまたは繁茂植物からなり、ミスト供給装置から供給されたミストを付着させるミスト担体を備えており、囲壁は、囲壁の外側の空気を囲壁と屋外貯蔵設備との間に通過させる通気性を備えるものである。
【０００８】
本発明に係る屋外貯蔵設備においては、屋外貯蔵設備の外側に囲壁が配設されており、囲壁の外側または囲壁と屋外貯蔵設備との間にミストを供給するミスト供給手段が設けられている。このミスト供給手段によってミストを供給すると、屋外貯蔵設備と囲壁との間にミストが供給され、供給されたミストが屋外貯蔵設備の外側に接触して気化する。このミストの気化熱によって、屋外貯蔵設備を冷却することにより、高い冷却効率を発揮することができる。また、屋外貯蔵設備と離間して囲壁が配設され、囲壁と屋外貯蔵設備との間に空間が形成されている。この空間における空気もミストによって冷却され、しかも冷却された空気が屋外貯蔵設備と囲壁との間の空間から流出し難くなる。このため、屋外貯蔵設備と囲壁との間の空間に冷気が長時間とどまり、冷却効果を高い状態を長く維持することができる。
【０００９】
また、囲壁はミストを付着させるミスト担体を備えており、囲壁は、囲壁の外側の空気を囲壁と屋外貯蔵設備との間に通過させる通気性を備えている。このため、ミスト担体にミストを付着させるとともに、囲壁の外側から流入する空気によって囲壁と屋外貯蔵設備との間に、ミスト担体に付着したミストを順次供給することができるので、屋外貯蔵設備付近におけるミストの量を多くすることができるので、時間当たりの蒸発量が増加し、さらに冷却効率を高めることができる。さらには、ミストを供給するにあたってミスト供給手段を設けているのみであるので、たとえば屋外貯蔵設備を真空にする真空生成設備を備えたり、冷却水を排水する排水設備を設けたりする必要がない。したがって、その分、大掛かりな設備を不要とすることができる。
【００１０】
ここで、ミスト供給装置は、囲壁と屋外貯蔵設備との隙間からミストを噴射する内側ミスト噴射装置を含む態様とすることができる。
【００１１】
このように、内側ミスト噴射装置によって囲壁と屋外貯蔵設備との隙間からミストを噴射することにより、囲壁と屋外貯蔵設備との間の空間に確実にミストを導入することができる。しかも、屋外貯蔵設備側に流れるミストによって屋外貯蔵設備を冷却することができる一方で、囲壁側に流れるミストを囲壁におけるミスト担体に対して確実に付着させることができる。
【００１２】
また、ミスト供給装置は、囲壁の外側から囲壁に向けてミストを噴射する外側ミスト噴射装置を含む態様とすることができる。このように、外側ミスト噴射装置によって囲壁の外側から囲壁に向けてミストを噴射することにより、囲壁におけるミスト担体にミストを確実に付着させることができる。
【００１３】
さらに、外側ミスト噴射装置が囲壁に取り付けられている態様とすることができる。このように、外側ミスト噴射装置が囲壁に取り付けられている態様とすることにより、外側ミスト噴射装置から供給されるミストをさらに囲壁に付着させることができるとともに、外側ミスト噴射装置の設置場所を確保することができる。したがって、その分省スペース化に寄与することができる。
【００１４】
あるいは、ミスト噴射装置から噴射されたミストを囲壁方向へ送る風を供給する送風手段が設けられている態様とすることもできる。このように、ミストを囲壁方向へ送る風を供給する送風手段が設けられていることにより、ミストが蒸発する前に囲壁におけるミスト担体にミストを効率よく付着させることができる。
【００１５】
また、屋外貯蔵設備と囲壁とは、平面視した状態で離間して配設されており、内側ミスト噴射装置は、屋外貯蔵設備と囲壁との間から、下方に向けてミストを噴射する態様とすることができる。このように、内側ミスト噴射装置は、屋外貯蔵設備と囲壁との間から、下方に向けてミストを噴射する態様とすることにより、ミストは、囲壁と屋外貯蔵設備との間の空間で漂いながら囲壁の内側または屋外貯蔵設備の外側に付着することになる。したがって、屋外貯蔵設備を効率よく冷却することができる。
【００１６】
さらに、ミスト担体がネット、メッシュ、または繁茂植物である態様とすることができる。このように、ミスト担体としては、ネット、メッシュ、または繁茂植物など、一般的な性状として通気性を有するとともに表面積の大きなものを好適に用いることができる。
【００１７】
また、ミストの径が１０μｍ〜１００μｍに調整されている態様とすることができる。このように、ミストの径が１０μｍ〜１００μｍに調整されていることにより、屋外貯蔵設備を効率よく冷却することができる。
【００１８】
さらに、屋外貯蔵設備に、貯蔵対象物としてコンクリート骨材が貯蔵されている態様とすることができる。このように、冷却対象となる貯蔵対象物としては、コンクリート骨材である態様とするのが好適である。
【００１９】
他方、上記課題を解決した本発明に係る屋外貯蔵設備の冷却方法は、屋外に構築されて貯蔵対象物としてコンクリート骨材が貯蔵される屋外貯蔵設備と、屋外貯蔵設備の外側に屋外貯蔵設備と離間して配設された囲壁との間に、ミスト供給手段によってミストを供給し、囲壁の外側の空気を囲壁と屋外貯蔵設備との間に通過させるとともに、囲壁に設けられたネットまたは繁茂植物からなるミスト担体に、ミスト供給手段から供給されたミストを付着させることを特徴とするものである。
【発明の効果】
【００２０】
本発明に係る屋外貯蔵設備の冷却装置および冷却方法によれば、真空生成設備などの大掛かりな設備を要することなく、高い冷却効率を発揮することができる。
【発明を実施するための最良の形態】
【００２１】
以下、図面を参照して、本発明の好適な実施形態について説明する。なお、各実施形態において、同一の機能を有する部分については同一の符号を付し、重複する説明は省略することがある。図１は本発明の第１の実施形態に係る冷却装置が設けられる貯蔵ビンの模式的斜視図、貯蔵ビンの模式的側断面図である。
【００２２】
図１に示すように、本実施形態に係る冷却装置が設けられる屋外貯蔵設備である貯蔵ビン１は、屋外に設けられており、中空の円柱状をなしている。この貯蔵ビン１内には貯蔵対象物であるコンクリート骨材が貯蔵されている。貯蔵ビン１に貯蔵されたコンクリート骨材は、熱くなっていないことが望まれる。このため、貯蔵ビン１は冷却することが望まれる。
【００２３】
貯蔵ビン１の外側には、囲壁２が貯蔵ビン１と平面視した状態で離間して配設されており、離間距離は、たとえば１ｃｍ〜１００ｃｍの間のいずれかの距離とされている。このため、貯蔵ビン１と囲壁２との間には、空間Ｓが形成されている。囲壁２は、複数のメッシュを重ねて構成されており、囲壁２の外側の空気を囲壁２と貯蔵ビン１との間に通過させる通気性を備えている。囲壁２の開口率は、１０％〜７０％の範囲で、ミストの囲壁通過時の付着性と耐風性能を考慮して調整されている。たとえば、強風時には開口率を低くし、弱風時には開口率を高めることができる。さらに、囲壁２は、貯蔵ビン１の周囲全体を覆うようにして配設されている。
【００２４】
貯蔵ビン１の上方位置には、ミスト供給装置３が設けられている。ミスト供給装置３は、複数のミストノズル４を備えており、複数のミストノズル４は、いずれもノズルホルダ５に取り付けられている。ノズルホルダ５は、環状をなしており、その周方向に略等間隔をおいてミストノズル４が取り付けられている。図２に示すように、ミストノズル４は、貯蔵ビン１と囲壁２との間から、下方に向けてミストＭを噴射する。
【００２５】
ミストノズル４から噴射されるミストＭは、その径が１０μｍ〜１００μｍに調整されている。また、ノズルホルダ５には、高圧水供給管６が配設されており、各ミストノズル４に連結されている。高圧水供給管６は高圧ポンプ７に接続されている。高圧ポンプ７を作動させることにより、清水が高圧水供給管６を介してミストノズル４に供給され、ミストノズル４からミストＭが噴射される。
【００２６】
また、囲壁２は、メッシュで構成されていることから、ミストノズル４から噴射したミストＭを付着させるミスト担体として機能している。囲壁２は、５ｍｍ程度の厚みをもって形成されている。囲壁２の厚みによってミストＭを付着させる際の付着性能や風を通す際の通気性が調整される。このときの囲壁２の厚みとしては、たとえば２ｍｍ〜５００ｍｍの範囲の幅とすることができる。
【００２７】
さらに、囲壁２の厚みは、囲壁２を構成するメッシュを増減することによって適宜調整可能とされている。囲壁２の厚みが増減されることによって、囲壁２の開口率が調整され、囲壁２を通過する空気の流量が調整される。
【００２８】
次に、本実施形態に係る屋外貯蔵設備の冷却装置における作用効果について説明する。本実施形態に係る屋外貯蔵設備の冷却装置では、貯蔵ビン１の上方に複数のミストノズル４が設けられており、ミストノズル４からはミストが噴射される。ミストノズル４は、貯蔵ビン１と囲壁２との間から、下方に向けてミストを噴射している。このため、ミストノズル４から噴射されたミストＭは、図２に示すように、貯蔵ビン１と囲壁２との間に案内され、一部は貯蔵ビン１に付着し、他の一部は囲壁２に付着する。
【００２９】
貯蔵ビン１に付着したミストＭと貯蔵ビン１との間では熱交換が行われ、貯蔵ビン１が冷却されるとともに、ミストＭは蒸発する。このミストＭが蒸発する際の気化熱により、貯蔵ビン１からは多くの熱を奪うことになる。このため、貯蔵ビン１を効率よく冷却することができる。
【００３０】
ここで、本実施形態に係る冷却装置では、ミストノズル４から噴射されるミストＭの径が１０μｍ〜１００μｍの間に調整されている。このため、貯蔵ビン１の冷却効率を高めることができる。いま、ミストＭの径が１０μｍ未満の小径のものであると、ミストＭが噴射されてすぐに蒸発してしまい、貯蔵ビン１や囲壁２に到達する前にミストＭの大部分が蒸発してしまう。このため、貯蔵ビン１から気化熱を奪うことが難しくなり、貯蔵ビン１の冷却効率を高めることができない。一方、ミストＭの径が１００μｍを超えると、貯蔵ビン１に到達するまでに蒸発はし難くなるものの、表面張力が弱くなり貯蔵ビン１や囲壁２に衝突した際にその表面で水の膜を形成し、表面積が減少してしまう。このため、貯蔵ビン１が濡れるだけで水分は蒸発しにくく、気化熱による冷却効率を高めるのが困難になってしまう。
【００３１】
また、囲壁２はメッシュからなり、ミスト担体としての機能を備えていることから、囲壁２にはミストノズル４から囲壁２に向けて噴出されたミストＭの多くが付着する。さらに、囲壁２は、囲壁２の外側の空気を囲壁２と貯蔵ビン１との間に通過させる通気性を備えている。このため、囲壁２に付着したミストＭを外側からの風によって再度貯蔵ビン１と囲壁２との間の空間Ｓは貯蔵ビン１に向けて供給することができる。空間Ｓに供給されたミストは、空間Ｓから流出しにくく空間Ｓにおいて長時間滞留する。このミストによって空間Ｓの空気も冷却され、かつ冷却された空気が空間Ｓに長くとどまることになる。したがって、空間Ｓにおける冷却された空気によっても貯蔵ビン１は冷却される。さらには、空間Ｓに供給されたミストＭについても、貯蔵ビン１との間での熱交換によって蒸発する。このミストＭが蒸発する際の気化熱によって貯蔵ビン１の熱が奪われ、その分貯蔵ビン１が効率よく冷却される。
【００３２】
ここで、囲壁２の開口率は１０％〜７０％の範囲で適宜調整される。囲壁２の開口率が１０％未満だと、貯蔵ビン１と囲壁２との間の空間Ｓに到達するミストＭが少なくなってしまう。その一方、囲壁２の開口が７０％を超えると、無風時の冷却能力は向上するものの、風がある場合には、その風が微風であってもミストＭを囲壁２の外側に流出させて喪失させてしまうこととなる。したがって、囲壁２の開口率は１０％〜７０％の範囲で調整することにより、貯蔵ビン１と囲壁と２の間の空間ＳにミストＭを効率よく導入することができる。
【００３３】
たとえば、強風時に囲壁２の開口率が高いと、空間Ｓに大量の空気が流入して貯蔵ビン１や空間Ｓにミストがとどまりにくく、貯蔵ビン１の冷却効果が小さくなってしまう。この場合には、囲壁２の開口率を低くすることによって、空間Ｓにおけるミストを多く滞留させることができ、冷却効率を向上させることができる。
【００３４】
逆に、弱風時に囲壁２の開口率が低いと、ミストの大部分が囲壁２にとどまった状態となり、空間Ｓに供給されるミストの量が減少し、その分貯蔵ビンの冷却効果が低減する。この場合には、囲壁２の開口率を高くすることによって、空間Ｓにおけるミストを多く流入させることができ、貯蔵ビン１の冷却効率を向上させることができる。
【００３５】
このように、本実施形態に係る冷却装置では、このミストＭの気化熱によって、貯蔵ビン１を冷却しているので、高い冷却効率を発揮することができる。また、囲壁２はミストＭが付着するミスト担体としての機能するメッシュによって構成されている。このため、囲壁２と貯蔵ビン１との間にミストＭを順次供給することができるので、さらに冷却効率を高めることができる。さらには、ミストＭを供給するにあたってミストノズル４を設けているのみであるので、たとえば貯蔵ビン１を真空にする真空生成設備を備えたり、冷却水を排水する排水設備を設けたりする必要がない。したがって、その分、大掛かりな設備を不要とすることができる。
【００３６】
また、本実施形態に係る冷却装置では、ミストノズル４によって囲壁２と貯蔵ビン１との隙間からミストＭを噴射している。このため、囲壁２と貯蔵ビン１との間の空間Ｓに確実にミストＭを導入することができる。しかも、貯蔵ビン１側に流れるミストＭによって貯蔵ビン１を冷却することができる一方で、囲壁２側に流れるミストを囲壁２におけるミスト担体に対して確実に付着させることができる。このとき、ミストノズル４は、囲壁２と貯蔵ビン１との間の空間の上方から、下方に向けてミストＭを噴射している。このため、ミストＭは自重によって下方に落下するので、囲壁２と貯蔵ビン１との間の空間ＳにミストＭを確実に導入することができる。
【００３７】
次に、本発明の第２の実施形態について説明する。本実施形態に係る屋外貯蔵設備の冷却装置は、上記第１の実施形態と比較して、ミストノズル４の取付位置が主に異なっている。以下、その相違点を中心に本実施形態に係る冷却装置について説明する。図３は、本実施形態に係る冷却装置が設けられる貯蔵ビンの模式的斜視図である。
【００３８】
図３に示すように、本実施形態に係る冷却装置では、囲壁２の外側に送風機１０が設けられており、送風機１０の外枠に複数のミストノズル４が取り付けられている。ミストノズル４には、高圧水供給管６を介して高圧ポンプ７が接続されており、高圧ポンプ７を作動させることにより、ミストノズル４からミストＭが噴射される。その他の点については、上記第１の実施形態と同様である。
【００３９】
次に、本実施形態に係る屋外貯蔵設備の冷却装置における作用効果について説明する。本実施形態に係る屋外貯蔵設備の冷却装置では、上記第１の実施形態に係る屋外貯蔵設備の冷却装置と同様に、囲壁２と貯蔵ビン１との間にミストＭが供給される。このため、貯蔵ビン１に付着したミストＭと貯蔵ビン１との間で熱交換が行われ、貯蔵ビン１が冷却されるとともに、ミストＭが蒸発する。このミストＭが蒸発する際の気化熱により、貯蔵ビン１からは多くの熱を奪うことになる。このため、貯蔵ビン１を効率よく冷却することができる。
【００４０】
また、本実施形態に係る屋外貯蔵設備の冷却装置では、ミストノズル４が囲壁２の外側に設けられており、ミストノズル４は、囲壁２に向けてミストＭを噴射している。このため、囲壁２にミストが付着し、付着したミストＭが風によって囲壁２と貯蔵ビン１との間に案内される。こうして、囲壁２と貯蔵ビン１との間にミストＭを供給することができるとともに、貯蔵ビン１に付着したミストＭが蒸発することにより、ミストＭの気化熱によって貯蔵ビン１が効率よく冷却される。
【００４１】
さらに、本実施形態に係る屋外貯蔵設備の冷却装置は送風機１０を備えており、囲壁２の外側からミストノズル４によってミストＭを噴射するにあたり、送風機１０によってミストノズル４が噴射したミストＭを囲壁２に向けて送っている。このため、ミストノズル４から噴射されたミストＭのうち、囲壁２に到達する前に蒸発してしまうミストＭの量を少なくすることができる。その結果、囲壁２に付着するミストＭの量を多くすることができるとともに、貯蔵ビン１の冷却効率を高いものとすることができる。
【００４２】
続いて、本発明の第３の実施形態について説明する。本実施形態に係る屋外貯蔵設備の冷却装置は、上記第１の実施形態と比較して、ミストノズル４の取付位置が主に異なっている。以下、その相違点を中心に本実施形態に係る冷却装置について説明する。図４は、本実施形態に係る冷却装置が設けられる貯蔵ビンの模式的斜視図である。
【００４３】
図４に示すように、本実施形態に係る屋外貯蔵設備の冷却装置は、本実施形態に係る冷却装置では、囲壁２の外側に直線状のノズルホルダ１１が取り付けられている。囲壁２には、複数のノズルホルダ１１が取り付けられており、これらの複数のノズルホルダ１１は、囲壁２を平面視した周方向に略等間隔で離間して配置されている。各ノズルホルダ１１は、囲壁２の高さ方向に沿って配設されており、ノズルホルダ１１には、ノズルホルダ１１に沿って複数のミストノズル４が取り付けられている。
【００４４】
ミストノズル４には、高圧水供給管６を介して高圧ポンプ７が接続されており、高圧ポンプ７を作動させることにより、ミストノズル４からミストＭが噴射される。その他の点については、上記第１の実施形態と同様である。
【００４５】
次に、本実施形態に係る屋外貯蔵設備の冷却装置における作用効果について説明する。本実施形態に係る屋外貯蔵設備の冷却装置では、上記第１の実施形態に係る屋外貯蔵設備の冷却装置と同様に、囲壁２と貯蔵ビン１との間にミストＭが供給される。このため、貯蔵ビン１に付着したミストＭと貯蔵ビン１との間で熱交換が行われ、貯蔵ビン１が冷却されるとともに、ミストＭが蒸発する。このミストＭが蒸発する際の気化熱により、貯蔵ビン１からは多くの熱を奪うことになる。このため、貯蔵ビン１を効率よく冷却することができる。
【００４６】
また、本実施形態に係る屋外貯蔵設備の冷却装置では、ミストノズル４が囲壁２に対してノズルホルダ１１によって直接取り付けられている。このため、ミストノズル４と囲壁２との間の距離が非常に短くなっている。したがって、ミストノズル４から噴射されるミストＭは、噴射された直後に囲壁２に到達するので、囲壁２におけるミストＭの付着量を非常に多くすることができる。その結果、囲壁２と貯蔵ビン１との間の空間ＳにおけるミストＭの量を多くすることができ、貯蔵ビン１の冷却効率を高いものとすることができる。さらに、ミストノズル４が囲壁２に直接取り付けられていることにより、第２の実施形態と比較して、送風機１０やミストノズル４を設けるスペースを別途必要とすることもない。したがって、その分省スペース化に寄与することができる。
【００４７】
以上、本発明の好適な実施形態について説明したが、本発明は上記実施形態に限定されるものではない。たとえば、上記各実施形態では、囲壁２をメッシュで構成することにより、囲壁２自体をミスト担体としているが、たとえば囲壁２を金網で形成し、この金網にミスト担体としてメッシュ、ネット、または繁茂植物を設ける態様とすることができる。また、ミスト担体として繁茂植物を用いる場合には、たとえばその厚さを５００ｍｍ程度とするのが好適となる。繁茂植物の厚さを５００ｍｍ程度とすることにより、所望の開口率とすることができる。
【００４８】
また、上記各実施形態では、ミストノズル４をそれぞれ異なる位置に設けているが、ミストノズルの配設位置を上記第１の実施形態から第３の実施形態の配設位置を組み合わせた複数位置とする態様とすることもできる。さらに、上記実施形態では、貯蔵ビン１の全体を覆うようにして囲壁２を形成しているが、囲壁２の一部分を覆うようにして囲壁２を形成する態様とすることもできる。この場合、たとえば貯蔵ビン１における日射がある面を覆うように囲壁２を設ける態様とすることができる。他方、上記実施形態では屋外貯蔵設備を貯蔵ビン１としているが、その他、コルゲートビン、セメントサイロ（セメント貯蔵設備）、フライアッシュサイロ（フライアッシュ貯蔵設備）、タンクなどとすることもできる。
【図面の簡単な説明】
【００４９】
【図１】本発明の第１の実施形態に係る冷却装置が設けられる貯蔵ビンの模式的斜視図である。
【図２】本発明の第１の実施形態に係る冷却装置が設けられる貯蔵ビンの模式的側断面図である。
【図３】本発明の第２の実施形態に係る冷却装置が設けられる貯蔵ビンの模式的斜視図である。
【図４】本発明の第３の実施形態に係る冷却装置が設けられる貯蔵ビンの模式的斜視図である。
【符号の説明】
【００５０】
１…貯蔵ビン
２…囲壁
３…ミスト供給装置
４…ミストノズル
５…ノズルホルダ
６…高圧水供給管
７…高圧ポンプ
１０…送風機
１１…ノズルホルダ
Ｓ…空間
Ｍ…ミスト
【図１】
0004972591.tif 000002
【図２】
0004972591.tif 000003
【図３】
0004972591.tif 000004
【図４】
0004972591.tif 000005